(57)【要約】電気的接触層において一体化された第１のウエハーおよび第２のウエハーから形成された双安定マイクロアクチュエータである。カバーは、光軸を規定するＶ字形溝を有する。Ｖ字形溝内のコリメート光信号源が、Ｖ字形溝内の光ポートに光信号を結びつける。移動部材上の鏡面が、光信号をブロックまたは反射する。移動部材は、第１および第２の端部の位置に支持点を有する。鏡を保持する移動部材の中心部は、第１または第２の弓なり状態においては、移動部材と共に圧縮軸から外れた位置に移動させられている。鏡は、光軸をブロックまたは反射する。膨張可能構造体は、圧縮軸に沿って第１および第２の支持点の間に圧縮力を加えることで、移動部材を第１の弓なり状態または第２の弓なり状態に保持する。制御信号が、膨張可能構造体内の加熱要素に加えられることで、移動部材を第２の状態へ移動させる圧縮力が低減される。移動部材の中心部は、第１の弓なり状態から圧縮軸を通り越して第２の弓なり状態に移ることで、光軸に道を空ける。
2004530150.tif 000002
【特許請求の範囲】
【請求項１】
第１の状態と第２の状態とを有する制御信号に反応するマイクロアクチュエータであって、
中心部と、圧縮軸に沿った位置に置かれた第１および第２の端部とを有する柔軟な移動部材と、そして、
柔軟な移動部材に対し、制御信号に応じて、実質的に圧縮軸に沿った方向の圧縮力を選択的に加えることで、柔軟な移動部材を第１の弓なり状態と第２の弓なり状態との間でトグル運動させるように、第１および第２の端部に結合された膨張可能構造体と、
を有することを特徴とするマイクロアクチュエータ。
【請求項２】
膨張可能構造体が結合されるフレーム、をさらに有し、
柔軟な移動部材の中心部は、第１の弓なり状態では圧縮軸の第１の側にあり、第２の弓なり状態では圧縮軸の第２の側にあること、
を特徴とする請求項１に記載のマイクロアクチュエータ。
【請求項３】
フレームをさらに有し、
膨張可能構造体は、第２の状態を示す制御信号に応じて膨張することで、柔軟な移動部材に加えられる圧縮力を低減し、
柔軟な移動部材の中心部は、移動前の第１または第２の状態から、膨張可能構造体による圧縮力の回復とともに、圧縮軸を通過する形で移動して、それぞれ、第２の弓なり状態または第１の弓なり状態に入ること、
を特徴とする請求項１に記載のマイクロアクチュエータ。
【請求項４】
膨張可能構造体は、さらに、
少なくとも１つ、以下のように特徴付けられた抵抗率を有する第１の要素を有し、前記抵抗率の特徴とは、制御信号の瞬間的な第２の状態に応じて加熱要素を加熱する充分な熱を提供することであり、その加熱によって加熱要素の温度は、柔軟な移動部材に加えられる圧縮力を瞬時にゆるめて、第１の構造体要素に瞬間的に伸長を生じさせるのに充分な温度にまで上がり、こうして柔軟な移動部材に加えられる圧縮力が瞬時にゆるむことで、柔軟な移動部材の中心部が圧縮軸の方向に加速することが可能となり、
柔軟な移動部材の中心部の加速およびマスは、膨張可能構造体による圧縮力の回復とともに、当該中心部を圧縮軸越しに移動させて第２の弓なり安定状態に入らせるのに充分な大きさであること、
を特徴とする請求項１に記載のマイクロアクチュエータ。
【請求項５】
圧縮軸の第１の端および第２の端に第１の支持点および第２の支持点を有する柔軟な移動部材と、
フレームに結合され、移動部材の第１および第２の支持点を駆動するように結合された第１および第２の端部を有する膨張可能構造体であって、圧縮軸に沿って第１の支持点と第２の支持点との間に圧縮力を加えることで、柔軟な移動部材を圧縮された形で第１の弓なり状態に保持するように特徴づけられた膨張可能構造体と、を有し、
柔軟な移動部材は、圧縮軸から外れた位置にくる中心部を有し、
制御信号は第１の状態と第２の状態とを有し、
膨張可能構造体は、第２の状態を示す制御信号に応じて膨張することで、柔軟な移動部材に加わる圧縮力を低減し、柔軟な移動部材の中心部は、膨張可能構造体による圧縮力の回復とともに、圧縮軸を通過する形で移動して第２の弓なり状態に入ること、
を特徴とするマイクロアクチュエータ。
【請求項６】
柔軟な移動部材に加えられる圧縮力の瞬時の低減は、圧縮状態の軽減に応じて、柔軟な移動部材の中心部を圧縮軸の方向に加速させるのに充分な程度に短い時間で生じ、
柔軟な移動部材の中心部の加速およびマスは、膨張可能構造体による圧縮力の回復に同期して、圧縮軸を越える形で柔軟な移動部材の中心部を移動させ、第２の弓なり状態に入らせるのに充分な大きさであること、
を特徴とする請求項５に記載のマイクロアクチュエータ。
【請求項７】
膨張可能構造体が、さらに、
第２の状態の制御信号に反応して膨張可能構造体を瞬時に加熱することで瞬時に伸長を生じさせ、それによって柔軟な移動部材に加わる圧縮力を瞬時にゆるめる、というヒーター手段を有すること、
を特徴とする請求項５に記載のマイクロアクチュエータ。
【請求項８】
膨張可能構造体がさらに、
フレームの膨張可能構造体の第１または第２の支持点とフレームとの間で結合された第１の構造体要素を少なくとも１つ有し、
前期第１の構造体要素は、電気加熱要素を有し、
当該電気加熱要素は、制御信号の瞬間的な第２の状態に応じて第１の構造体要素を充分な温度にまで加熱し、その充分な温度とは、柔軟な移動部材に加えられる圧縮力を瞬時にゆるめ、その結果として、第１の構造体要素には瞬間的に伸長を生じさせる、という程度のものであり、こうして柔軟な移動部材に加えられる圧縮力が瞬時にゆるむことで、柔軟な移動部材の中心部が圧縮軸の方向に加速することが可能となり、
柔軟な移動部材の中心部の加速度およびマスは、膨張可能構造体による圧縮力の回復とともに、中心部を移動させて圧縮軸を通過させ、第２の弓なり安定状態に置くのに充分な大きさとすること、
を特徴とする請求項５に記載のマイクロアクチュエータ。
【請求項９】
少なくとも１つ、膨張可能構造体の第１の支持点と第２の支持点との間に結合された第１の構造体要素と、
電気ヒーター手段とをさらに有し、
当該電気ヒーターは、制御信号の瞬間的な第２の状態に応じて第１の構造体要素を充分な温度にまで加熱し、その充分な温度とは、柔軟な移動部材に加えられる圧縮力を瞬時にゆるめ、その結果として、第１の構造体要素には瞬間的に伸長を生じさせる、という程度のものであり、こうして柔軟な移動部材に加えられる圧縮力が瞬時にゆるむことで、柔軟な移動部材の中心部が圧縮軸の方向に加速することが可能となり、
柔軟な移動部材の中心部の加速度およびマスは、膨張可能構造体による圧縮力の回復とともに、中心部を移動させて圧縮軸を通過させ、第２の弓なり安定状態に置くのに充分な大きさとすること、
を特徴とする請求項５に記載のマイクロアクチュエータ。
【請求項１０】
移動部材の第１および第２の支持点を駆動するように結合された第１および第２の端部を有する膨張可能構造体が、さらに、
膨張可能構造体の第１の端部から支持点まで延びる第１の支持ポストを少なくとも１つ有すること、
を特徴とする請求項５に記載のマイクロアクチュエータ。
【請求項１１】
柔軟な移動部材の第１および第２の支持点それぞれを駆動するように結合された第１および第２の端部を有する膨張可能構造体が、さらに、
膨張可能構造体の第１の端部から柔軟な移動部材の第１の支持点まで延びる第１の支持ポストと、
膨張可能構造体の第２の端部から柔軟な移動部材の第２の支持点まで延びる第２の支持ポストと、を有すること、
を特徴とする請求項５に記載のマイクロアクチュエータ。
【請求項１２】
膨張可能構造体がさらに、
少なくとも１つ、第１の支持点と第２の支持点との間に位置づけられており、制御信号がない場合には、事前加圧されて第１の支持点と第２の支持点との間に圧縮力を加える、という第１の要素と、
第２の状態を示す制御信号に応じて第１の要素を伸長させ、圧縮力を低減するための手段と、を有すること、
を特徴とする請求項５に記載のマイクロアクチュエータ。
【請求項１３】
少なくとも１つ、フレームに結合されていて、光信号経路を介して光信号を提供する第１のコリメート光信号源と、
少なくとも１つ、フレームに結合されていて、光信号を受信できるようコリメート信号源と同軸的に直線上にある第１の光ポートと、
柔軟な移動部材の中心部に位置づけられた移動部材面であって、柔軟な移動部材が圧縮されて第１の弓なり状態にある場合は、光信号経路から離れた位置にある、という移動部材面と、を有し、
当該移動部材面は、柔軟な移動部材が圧縮されて第２の弓なり状態にある場合は、光信号経路を完全にブロックまたは反射する位置にあり、
以上によって、マイクロアクチュエータは光スイッチ機能を実現するように働くこと、
を特徴とする請求項５に記載のマイクロアクチュエータ。
【請求項１４】
少なくとも１つ、フレームに結合され、光信号経路を介して光信号を提供する第１のコリメート光信号源と、
少なくとも１つ、第１の光ポートおよび第２の光ポートであって、第１および第２の光ポートともフレームに結合されており、第１の光ポートはコリメート信号源と同軸的に直線上にある、という第１および第２の光ポートと、
柔軟な移動部材の中心部に位置づけられた移動部材鏡面であって、柔軟な移動部材が圧縮されて第１の弓なり状態にあって、第１の光信号ポートが第１のコリメート信号源から光信号を受信している場合は、光信号経路から離れた位置にある、という移動部材鏡面と、を有し、
移動部材鏡面は、柔軟な移動部材が圧縮されて第２の弓なり状態にある場合、第２の位置に移動して、第２の光ポートの軸と同軸となる経路に向けて光信号を反射し、
以上によって、マイクロアクチュエータは光スイッチ機能を実現するように働くこと、
を特徴とする請求項５に記載のマイクロアクチュエータ。
【請求項１５】
少なくとも１つ、第１のコリメート光信号源および第２のコリメート光信号源であって、フレームに結合されており、それぞれに第１そして第２の光信号経路を介して、それぞれに第１の光信号そして第２の光信号を提供する、第１および第２のコリメート光信号源と、
少なくとも１つ、第１の光ポートおよび第２の光ポートであって、第１および第２の光ポートともフレームに結合されており、第１の光ポートは第１のコリメート信号源と同軸的に直線上にあり、第２の光ポートは第２のコリメート信号源と同軸的に直線上にある、という第１および第２の光ポートと、
実質的に柔軟な移動部材の中心部に配置された、互いに平行な２つの平面を有する、薄い移動部材プレートであって、平行な平面とは、移動部材が有する対向面の上に位置する第１および第２の鏡面であり、当該移動部材鏡面は、柔軟な移動部材が圧縮されて第１の弓なり状態にあって、第１の光信号ポートが第１の光信号源から第１のコリメート光信号を受信し、第２の光信号ポートが第２の光信号源から第２のコリメート光信号を受信している場合は、第１および第２の光信号経路から離れた位置にある、という前記薄い移動部材プレートとを有し、
柔軟な移動部材が圧縮されて第２の弓なり状態にある場合、移動部材の第１および第２の鏡面は第２の位置に移動して、第１のコリメート光信号を第２の光ポートの軸と同軸となる経路に向けて反射し、第２のコリメート光信号を第１の光信号ポートの軸と同軸となる経路に向けて反射し、その結果、第２の光ポートは第１の光信号源からの第１のコリメート光信号を受信し、第１の光信号ポートは第２の光信号源からの第２のコリメート光信号を受信し、
以上によって、マイクロアクチュエータは光スイッチ機能を実現するように働くこと、
を特徴とする請求項５に記載のマイクロアクチュエータ。
【請求項１６】
マイクロアクチュエータであって、
第１および第２のＳＯＩ（silicon-on-insulator）ウエハーのハンドル層によって形成されたフレームであって、各ＳＯＩウエハーがハンドル層、酸化物層そしてデバイス層を有し、第１および第２のＳＯＩウエハーのデバイス層は電気的接触層によって連結されている、というウエハーによって形成された前記フレームと、
外側面と内側面とを有する第１のカバーであって、内側面に少なくとも１つ第１のＶ字形溝を有し、当該第１のＶ字形溝の有する軸は光信号経路を規定する、という第１のカバーと、
少なくとも１つ、Ｖ字形溝の第１の部分に位置し、光信号経路に沿って光信号を提供する第１のコリメート光信号源と、
少なくとも１つ、Ｖ字形溝の第２の部分に位置し、コリメート信号源と同軸的に直線上に位置することで光信号を受信する第１の光ポートとを有し、
前期第１のＳＯＩウエハーのハンドル層は上側面と底面とを有し、上側面は第１のカバーの内側面にあるＶ字形溝に対応するＶ字形溝を有し、当該上側面のＶ字形溝は、カバーの内側面が第１のＳＯＩウエハーのハンドル層の上側面に接合される際、第１のコリメート信号源と第１の光ポートとを受け入れて、これらを直線上に配置し、
さらに、第１のＳＯＩウエハーのデバイス層に形成された柔軟な移動部材であって、第１のＳＯＩウエハーのハンドル層の一部から形成された鏡面を当該柔軟な移動部材自身の中心部に有する、という柔軟な移動部材を有し、
前期柔軟な移動部材は、圧縮軸の第１および第２の端部の位置に、第１および第２の支持点を有し、柔軟な移動部材の中心部は圧縮軸からずれる形で移動させられ、圧縮力を受けている間、柔軟な移動部材は第１の弓なり状態または第２の弓なり状態となり、柔軟な移動部材が第１の弓なり状態にある場合、移動部材鏡面は光信号経路から離れた位置にあり、
さらに、第２のＳＯＩウエハーのデバイス層に形成された膨張可能構造体であって、フレームに結合されており、柔軟な移動部材の第１および第２の支持点を駆動するように結合された第１および第２の端部を有し、特徴となるのは、圧縮軸に沿って第１および第２の支持点の間に圧縮力を加えることで、柔軟な移動部材を圧縮した状態で第１の弓なり状態または第２の弓なり状態に保持する、という点である膨張可能構造体を有し、
制御信号は第１の状態と第２の状態とを有し、
膨張可能構造体は、第２の状態を示す制御信号に応じて膨張して、柔軟な移動部材に加わる圧縮力を低減し、柔軟な移動部材の中心部は、膨張可能構造体による圧縮力の回復とともに、第１の弓なり状態から圧縮軸を越えて第２の弓なり状態へ、または、第２の弓なり状態から圧縮軸を越えて第１の弓なり状態へ、いずれかの方向に移動し、
移動部材鏡面は、柔軟な移動部材が圧縮されて第２の弓なり状態にある場合、コリメート光信号源と光ポートとの間の位置に移動し、光信号経路を完全にブロックまたは反射し、
以上によって、マイクロアクチュエータは光スイッチ機能を提供する形で働くこと、
を特徴とするマイクロアクチュエータ。
【請求項１７】
膨張可能構造体がさらに、
フレームの膨張可能構造体の第１または第２の支持点とフレームとの間で結合された第１の構造体要素を少なくとも１つ有し、
前期第１の構造体要素は、電気加熱要素として電気ヒーターを有し、
当該電気ヒーターは、制御信号の瞬間的な第２の状態に応じて第１の構造体要素を充分な温度にまで加熱し、その充分な温度とは、柔軟な移動部材に加えられる圧縮力を瞬時にゆるめ、その結果として、第１の構造体要素には瞬間的に伸長を生じさせる、という程度のものであり、こうして柔軟な移動部材に加えられる圧縮力が瞬時にゆるむことで、柔軟な移動部材の中心部が圧縮軸の方向に加速することが可能となり、
柔軟な移動部材の中心部の加速度およびマスは、膨張可能構造体による圧縮力の回復とともに、中心部を移動させて圧縮軸を通過させ、第２の弓なり安定状態に置くのに充分な大きさとすること、
を特徴とする請求項１６に記載のマイクロアクチュエータ。
【請求項１８】
膨張可能構造体がさらに、
膨張可能構造体の第１の支持点とフレームとの間につながれた第１および第２の構造体要素、および、膨張可能構造体の第２の支持点とフレームとの間につながれた第３および第４の構造体要素とを有し、
前期第１の構造体要素が、それぞれの構造体要素のために電気加熱要素を有し、
当該電気加熱要素である電気ヒーターは、制御信号の瞬間的な第２の状態に応じてそれぞれの構造体要素を充分な温度にまで加熱し、その充分な温度とは、柔軟な移動部材に加えられる圧縮力を瞬時にゆるめ、その結果として、第１の構造体要素には瞬間的に伸長を生じさせる、という程度のものであり、こうして柔軟な移動部材に加えられる圧縮力が瞬時にゆるむことで、柔軟な移動部材の中心部が圧縮軸の方向に加速することが可能となること、
を特徴とする請求項１６に記載のマイクロアクチュエータ。
【請求項１９】
各構造体要素のそれぞれに対応する膨張可能構造体の電気加熱要素が、さらに、
第２のＳＯＩウエハーのデバイス層内にあって、ドープ処理されて以下の特徴を与えられた抵抗を有する、という領域であり、その特徴とは、制御信号の第２状態によって電気的に駆動される際、柔軟な移動部材に加えられる圧縮力を瞬時にゆるめ、柔軟な移動部材の中心部が圧縮軸の方向へ加速することを可能とするのに充分な電力損失（power dissipation）を実現できることである、という前期領域を有すること、
を特徴とする請求項１６に記載のマイクロアクチュエータ。
【請求項２０】
第２のＳＯＩウエハーのハンドル層はエッチング処理されて、膨張可能構造体の第１構造体要素の相当部分とそれに対応する電気加熱要素とを囲む形でボイドスペースが設けられており、それによって、電気加熱要素と柔軟な移動部材との間に熱抵抗を生じさせること、
を特徴とする請求項１６に記載のマイクロアクチュエータ。
【請求項２１】
柔軟な移動部材が、さらに、
柔軟な移動部材が第１の弓なり状態にあるタイミングを示すように特徴づけられた第１の電気信号と、柔軟な移動部材が第２の弓なり状態にあるタイミングを示すように特徴づけられた第２の電気信号とを提供する手段、を有すること、
を特徴とする請求項１６に記載のマイクロアクチュエータ。
【請求項２２】
柔軟な移動部材が、さらに、
柔軟な移動部材上にあるインディフューズ圧電抵抗サイトであって、電気的接触層に電気的に結合されており、柔軟な移動部材が第１の弓なり状態にあるタイミングを特徴づける第１の出力信号と、柔軟な移動部材が第２の弓なり状態にあるタイミングを特徴づける第２の電気信号とを提供するように特徴付けられた圧電抵抗サイトを有すること、
を特徴とする請求項１６に記載のマイクロアクチュエータ。
【請求項２３】
マイクロアクチュエータを形成する方法であって、
それぞれがデバイス層、酸化物層、そしてハンドル層を有するＳＯＩウエハーである、という第１および第２のＳＯＩウエハーとを用意するステップと、
フォトマスクを介して連続して行われるエッチングステップと不動態化（passivation）ステップとからなるシーケンスにおいて、反応ガスと共にプラズマを用いることで、圧縮軸の第１および第２の端部に第１および第２の支持点を持つ柔軟な移動部材を、第１のＳＯＩウエハーのデバイス層に形成するステップと、
エッチング速度が結晶平面によって決まる、という湿式化学異方性エッチングを水酸化カリウムと共に用いることで、第１のＳＯＩウエハーのハンドル層からの鏡を形成するステップと、
第２のシリコン酸化物ウエハー上で、フォトマスクを介して連続して行われるエッチングステップと不動態化ステップとからなるシーケンスにおいて、反応ガスと共にプラズマを用いることで、フレームに結合された膨張可能構造体を形成するステップであり、形成する膨張可能構造体は、移動部材の第１および第２の支持点を駆動するように結合された第１および第２の端部を有し、特徴と点は、圧縮軸に沿って第１の支持点と第２の支持点との間に圧縮力を加えて、柔軟な移動部材を圧縮された形で第１の弓なり状態または第２の弓なり状態に保持することである、という膨張可能構造体を形成するステップと、
フォトマスクを用いることで、第１および第２のＳＯＩウエハーの外表面上に電気的接触層を形成するステップであって、形成する接触層のパターンの特徴となるのが、第１の状態と第２の状態を有する外部信号源からの制御信号を膨張可能構造体に結びつける点である、というステップと、
熱と圧力とを用いて、電気的接触層を第１および第２のＳＯＩウエハー上に、金（gold）の層と共に熱圧縮接合するステップと、を有し、
前記膨張可能構造体は、第２の状態を示す制御信号に応じて膨張して、柔軟な移動部材に加わる圧縮力を低減するように特徴付けられており、柔軟な移動部材の中心部は、膨張可能構造体による圧縮力の回復とともに、圧縮軸を越えて移動して第２の弓なり状態に入ること、
を特徴とする方法。
【請求項２４】
フォトマスクを介して連続して行われるエッチングステップと不動態化ステップとからなるシーケンスにおいて、ボッシュプロセスを用いることで、圧縮軸の第１および第２の端部に第１および第２の支持点を有する柔軟な移動部材を、第１のＳＯＩウエハーのデバイス層に形成するステップと、
エッチング速度が結晶平面によって決まる、という湿式化学異方性エッチングを水酸化カリウムと共に用いることで、第１のＳＯＩウエハーのハンドル層から鏡を形成するステップと、
第２のシリコン酸化物ウエハー上で、フォトマスクを介して連続して行われるエッチングステップと不動態化ステップとからなるシーケンスにおいて、ボッシュプロセスを用いることで、フレームに結合された膨張可能構造体を形成するステップであり、形成する膨張可能構造体は、移動部材の第１および第２の支持点を駆動するように結合された第１および第２の端部を有し、特徴となる点は、圧縮軸に沿って第１の支持点と第２の支持点との間に圧縮力を加えて、柔軟な移動部材を圧縮された形で第１の弓なり状態または第２の弓なり状態に保持することである、という膨張可能構造体を形成するステップと、
フォトマスクを用いることで、第１および第２のＳＯＩウエハーの外表面上に酸化物層と電気的接触層とを形成するステップであって、形成する接触のパターンの特徴となるのが、第１の状態と第２の状態を有する外部信号源からの制御信号を膨張可能構造体上のヒーターの駆動のために結びつける点である、というステップと、
熱と圧力とを用いて、電気的接触層を第１および第２のＳＯＩウエハー上に熱圧縮接合するステップと、を有し、
膨張可能構造体は、第２の状態を示す制御信号に応じて膨張して、柔軟な移動部材に加わる圧縮力を低減するように特徴付けられており、柔軟な移動部材の中心部は、膨張可能構造体による圧縮力の回復とともに、圧縮軸を越えて移動して第２の弓なり状態に入ること、
を特徴とする請求項２３に記載のマイクロアクチュエータ形成方法。
【請求項２５】
エッチング前の第２のＳＯＩウエハーにドープ処理を行って膨張可能構造体内に加熱要素を得る事前処理ステップであって、当該加熱要素が有する低効率には以下に示すような特徴が与えられており、その特徴とは、制御信号の瞬間的な第２の状態に応じて、柔軟な移動部材に加えられる圧縮力を瞬時にゆるめて、第１の構造体要素に瞬間的な伸長を生じさせるのに充分な温度まで加熱要素を加熱するのに充分な熱を提供することであり、こうして、柔軟な移動部材に加えられる圧縮力を瞬時にゆるめることで、柔軟な移動部材の中心部が圧縮軸の方向に加速することが可能となり、柔軟な移動部材の中心部の加速およびマスは、膨張可能構造体による圧縮力の回復とともに、当該中心部を圧縮軸越しに移動させて第２の弓なり安定状態に入らせるのに充分な大きさであること、
を特徴とする請求項２３に記載のマイクロアクチュエータ形成方法。
【発明の詳細な説明】
【技術分野】
【０００１】
本発明は光通信ネットワークの分野に関し、さらに詳しく言えば、光ファイバコンポーネントの分野、および、光スイッチに用いるためにＭＥＭＳ（Micro Electro - mechanical Systems：マイクロ電子機械システム）関連のプロセスで製造されるマイクロアクチュエータに関する。
【背景技術】
【０００２】
光スイッチとは、ある光ポートから別の光ポートへ光信号を伝えたり、論理信号などの電気的コマンドに応じて光信号を遮断する働きをしたりするものである。Blonderによる米国特許４，９３２，７４５号（特許文献１）の発明（ＡＴ＆Ｔに譲渡）（その開示内容全体が参照の形で本文書に組み入れられるものとする）における光スイッチ構成は、光路の外または光路内に配置されて入力ファイバと出力ファイバとの間で光信号を偏向させる、というミラーを有している。当該スイッチ構成は第１、第２、第３そして第４の光ポートを有し、各ポートは第１、第２、第３そして第４のファイバセグメントのそれぞれの近接端部（proximate end）に形成され、各セグメントは、シリコン基板ベースにエッチングまたはその他の手法で形成された溝の中に一つずつ配置されている。また、このスイッチ構成には、第１、第２、第３そして第４のレンズレットがさらに含まれ、当該レンズレットは、第１のファイバから出て、第２のファイバに入るか、あるいは第３または第４のファイバに入る、という光ビームをそれぞれコリメートする。これら光ビームの源は、光源（図示せず）によって供給され、公知の光システムで処理される。ミラーは正面側反射平面を有するが、背面側にも並行反射平面を持たせることができる。
【０００３】
米国特許５，０４２，８８９号（特許文献２）の発明（ＡＴ＆Ｔに譲渡）（その開示内容全体を参照の形で本文書に組み入れるものとする）は、さらに別の型の光スイッチを開示している。
【特許文献１】
米国特許４，９３２，７４５号公報。
【特許文献２】
米国特許５，０４２，８８９号公報。
【発明の開示】
【０００４】
本発明は双安定マイクロアクチュエータであり、第１の選択可能な実施の形態においては光スイッチとして示される。本アクチュエータはフレームを有する。また、柔軟な移動部材が第１および第２の支持点において支持されている。当該部材は、その第１の支持点から第２の支持点へと延びる圧縮軸を有する。
【０００５】
また、膨張可能構造体が、フレームに結合されていると共に、その第１および第２の端部は、移動部材の第１および第２の支持点を駆動するために結合されている。組み立てられた状態では、柔軟な移動部材は事前加圧されており、それによって、膨張可能構造体を圧縮すると共に、柔軟な移動部材自身も圧縮されて、弓なりの状態に保持される。柔軟な移動部材の中央部分は、垂直面上で圧縮軸から外れる形に移動させられる。第１の状態（この状態では、ヒーター電極に電圧は印加されない）と第２の状態（この状態では、予め決められた振幅と幅とを有する電圧パルスがヒーター電極に印加される）とを有する制御信号がヒーター電極に入力され、それによって、膨張可能構造体の要素が加熱され、加熱された構造体が膨張すると柔軟な移動部材に加わる圧縮力は小さくなる。圧縮力が弱まると、第２状態を示す制御信号に応じて、柔軟な移動部材の中央部分は圧縮軸を越えて移動する。第２状態の制御信号の入力に応じて柔軟な移動部材が移動すると、予め決められた時間間隔の後、制御信号は第１の状態に戻る。この時間間隔は、柔軟な移動部材が第２の弓なり状態に入ることが保証されるように長さが決められている。なお、この第２の弓なり状態から第１の状態への復帰は、制御信号を第２の状態に戻すことによってのみ可能となる。制御信号を第１の状態に戻すことでヒーターを冷却すれば、膨張可能構造体から柔軟な移動部材に加えられる圧縮力を元に戻すことができる。
【０００６】
また、もう一つの選択可能な実施の形態においては、第１のコリメート光信号源がフレームに結合されており、これは光信号経路を介して光信号を供給するためである。また、第１の光ポートもフレームに結合されており、これは、コリメート信号源と同軸的に直線上にあることで、光信号を受信できるようになっている。移動部材面は、柔軟な移動部材の中央部分上に位置づけられている。移動部材面とは、縦に配置されたミラー面などであり、柔軟な移動部材上に配置されることで、柔軟な移動部材が圧縮されて第１の弓なり状態にある時には、光信号経路から離れた位置に来るようになっている。柔軟な移動部材が圧縮されて第２の弓なり状態になる時には、移動部材面は、光信号経路を完全にブロックまたは反射するような位置に移動させられる。この構成では、双安定マイクロアクチュエータは、光スイッチ機能を果たす形で働く。
【発明を実施するための最良の形態】
【０００７】
図１（ａ）および図１（ｂ）にしめす、本発明の一側面に基づく双安定マイクロアクチュエータ１０は、２枚の市販のＳＩＯ（silicon-on insulator）ウエハーから、ＭＥＭＳ技術を使用して形成されている。これらウエハーは、ウエハー「Ａ」（第１のウエハー）およびウエハー「Ｂ」（第２のウエハー）であり、それぞれ縦括弧で囲んで示してある。図１（ａ）は階層を上側の視点から見て描いており、図１（ｂ）は階層を下側の視点から見て描いている。なお、図１（ａ）、図１（ｂ）、図２（ａ）、図２（ｂ）そして図３には、ウエハー「Ａ」および「Ｂ」の各層構を展開した形で示しているが、これはあくまで説明のためであることを理解していただきたい。実際問題として、ウエハー「Ａ」およびウエハー「Ｂ」の各層は互いと一体化しており、図に示すように分離されることはない。図２（ａ）、図２（ｂ）そして図３は、下から見上げる形で示した図１（ｂ）の一部を拡大して示したものである。層を貫通するボイドスペースは参照番号８７で示してあるが、図３におけるボイドスペース５５は、ハンドル層４０の途中までしかない。図２（ａ）はウエハーＡの各層を示し、図３はウエハーＢの各層を示す。
【０００８】
図１（ａ）および図１（ｂ）では、階層の一番上の位置に、第１のカバー１２が示されている。このカバーは、外側面１７と内側面またはベース１９を有する。図１（ａ）では、第１のカバー１２の下に４つの光ファイバ１４、１６、１８、２０が見られる。図１（ｂ）および図２（ａ）には、第１のカバー１２の底面またはベース１９が図示してある。第１のカバー１２の底面またはベース１９には、Ｖ字形溝２２、２４、２６、２８が形成されており、これらがファイバ１４、１６、１８、２０を受け入れる。ファイバは、カバーが層３２上に配置される前に、Ｖ字形溝の中に設置される。
【０００９】
次に図２（ａ）を参照する。光ファイバ１４が表すのは第１の光信号源であり、これは、外部の光信号源から出てファイバ１４のピグテイル２１において受信される光信号を介して駆動される。ファイバ１４は、コリメートレンズ２５を介して出力信号を出力する。第１の光信号は、狭いギャップ２７を通過して、ファイバ１６の左側端部に位置する第２のコリメートレンズ２９に達する。光ファイバ１６が表すのは光信号ポートであり、ピグテイル端部３０から第１の光信号を出力する。光ファイバ１８、２０とそれらの作動とは、配置および機能において、ファイバ１４、１６と同様である。
【００１０】
単一モードファイバーの端部でのコリメートレンズ使用については、米国特許出願：第０９／６２８，０１５号（２０００年７月２８日出願）で述べられている。この出願「単一モード光スイッチのためのファイバレンズアセンブリ」は、ノリス・ルイスによるもので、譲受人が共通しており、本明細書には、その内容の全体が参照の形で組み入れられるものとする。
【００１１】
使用されるファイバは単一モードファイバーを含むが、これに限定はされない。ファイバを第１のカバーに取り付ける前の状態では、ファイバのジャケットは外されていて、ファイバのクラッド（cladding）は露出しているが、その径は約１２５ｕｍである。単一モードファイバーのコア（図示せず）の径は、７〜９マイクロメートルの範囲である。屈折率分布型レンズ（graded-index-lens）が、Ｘ字形の中央に当たる各ファイバの端部の位置に図示されている。屈折率分布型レンズは、長さが約３００ｕｍであり、コリメートレンズの機能を実現する。多モードファイバーが実用的か否かは、光スイッチ構成内のレンズによって作られる光線の径によって決定されるであろう。多モードファイバーのコアは、径が単一モードファイバーに比べて非常に大きく、結果として生じるビームの径もより大きくなる。ビーム径がより大きいということは、より大きな駆動偏向（actuation deflection）が必要とされることを意味し、それはさらに、膨張可能構造体全体の寸法もより大きくしなければならないことを意味する。
【００１２】
第１のウエハー（ウエハーＡ）の各層を図２（ａ）に示す。第１のウエハーは、約３２５ｕｍの厚みを有するハンドル層３２、約０.５umの厚みを有する酸化物層３４、そして、約１６ｕｍの厚みを有するデバイス層３６を有する。また、金（gold）製の電気的接触およびトレースの第１パターン３８が、デバイス層３６のベースに配置されている。
次いで、第２のウエハー（ウエハーＢ）の各層を図３に示す。第２のウエハーは、階層の一番下に位置して約３２５ｕｍの厚みを有するハンドル層４０、約０.５ｕｍの厚みを有する酸化物層４２、そして約１６ｕｍの厚みを有するデバイス層４４を有する。また、金（gold）製の電気的接触およびトレースの第２パターン４６が、デバイス層４４の上側に配置されている。第１および第２のパターン３８、４６は互いと対応する形に作られており、加熱および加圧による熱圧縮接合を用いて一体化（fused together）されるが、これは、第１のウエハーを第２のウエハー上に位置合わせした上で第２のウエハーに接合する、という形で行われる。さらに、第２または下側のカバー５０が、ハンドル層４０の底面に取り付けられている。
【００１３】
図４（ａ）乃至図４（ｃ）は、第１のウエハー（ウエハーＡ）の各層の上に設けられたパターンを示し、第１のウエハーの階層の一番上のハンドル層３２から柔軟な移動部材を有するデバイス層３６がある同階層の一番下まで進んでいく形で、各層を示している。
図５（ａ）乃至図５（ｃ）は、第２のウエハー（ウエハーＢ）の各層の上に設けられたパターンを示し、第２のウエハーの階層の一番上のデバイス層４４からハンドル層４０がある同階層の一番下まで順番に進んでいく形で、図１乃至３に示した各層を示している。
・本発明の双安定マイクロアクチュエータの動作
第１および第２のウエハーがＭＥＭＳ技術を使用して処理され、熱と圧力とを用いて、形の対応する電気的接触層３８、４６において接合されると、ウエハー「Ａ」とウエハー「Ｂ」との間には機械的な連結が確立される。図１（ａ）、図１（ｂ）、図２（ａ）そして図３が展開図となっているのは、単に位置関係の説明を目的としたものであり、各ウエハーの層は、実際には分離されることはない。ここで図４（ａ）乃至図４（ｃ）を参照する。鏡ハンドル層３２上の第１ウエハー領域５６、酸化物層３４上の領域５８、そして柔軟な移動部材のデバイス層３６上の領域６０は、ウエハーの構造によって、実際は一体化した形となっている。第１のウエハー（またはウエハー「Ａ」）のデバイス層３６は、機械的連結を確立する層３８と層４６との熱圧縮接合の操作によって、第２のウエハー（またはウエハー「Ｂ」）のデバイス層４４に結合されている。酸化物層の絶縁部（図示せず）は、必要に応じて配置され、マスク処理され、そしてエッチング処理されて、熱センサーおよび状態監視センサーのために第１および第２のウエハーから必要とされる電気的接触を容易にしている。次いで、図５（ａ）乃至図５（ｃ）を参照する。デバイス層４４の領域６２、６４、６５、６６、そして、酸化物層４２の領域６８、７０、７１、７２は、膨張可能構造体ハンドル層４０の領域７４と一体化されてフレームを形成し、当該フレームに膨張可能構造体が結合されている。
【００１４】
再び図１および図２を参照する。ハンドル層３２はエッチング加工され、第１のＶ字形溝７６が形成されており、これにＶ字形溝７８、８６、８８がつながっている。これらＶ字形溝７８、８６、８８は、第１のカバー１２が階層の一番上となった時点で第１のカバー１２の内側に形成されたＶ字形溝２２、２４、２６、２８と相補的な位置関係になるように配置されている。４つの光ファイバ１４、１６、１８、２０は、第１のカバー１２のベース１９に形成されたＶ字形溝に先ずはめ込まれ、その後、Ｖ字形溝７６、７８、８６、８８に光ファイバがおさまるように、ハンドル層３２に第１のカバーが位置合わせされる。
【００１５】
ここで図２を参照する。第１のＶ字形溝７６は、光信号経路を規定する軸を有する。したがって、光ファイバ１４は、ピグテイル２１において外部光信号源（図示せず）から受信される光信号によって駆動される第１の光信号源ということになる。ファイバ１４は、コリメートレンズ２４を介して出力信号を出力する。第１の光信号は、狭いギャップ２６を通過して、ファイバ１６の左端にある第２のコリメートレンズ２９に達する。したがって、光ファイバ１６は、Ｖ字形溝７８の第２の部分に置かれた第１の光信号ポートということになる。これは、コリメート信号源と同軸上に並んで光信号を受信し、自身の右端にあるピグテイル端部３０から第１の光信号を出力する。光ファイバ１８、２０とそれらの働きとは、構成および機能においてファイバ１６と同様である。
【００１６】
図２（ａ）、図４（ｃ）、そして、断面図である図６（ａ）乃至図６（ｃ）には、ウエハーＡのデバイス層３６に形成された柔軟な移動部材９０が図示してある。図において、ミラー面９２は、ウエハーＡのハンドル層３２の中心部９４から形成され、その位置は、柔軟な移動部材９０の中心部９４上である。また、図に示す柔軟な移動部材では、括弧９８で示す第１の支持点の位置、括弧１００で示す第２の支持点の位置は、それぞれ、圧縮軸１０２の第１の端部、そして第２の端部となっている。図６（ｂ）を見ると、柔軟な移動部材の中心部９４は、距離１０４の分だけ圧縮軸１０２から位置がずれて（図における距離１０４の大きさは誇張してある）、第１の状態に入っている。鏡面９２の垂直位置は、この第１の状態では、上に上げられている。単一のマイクロアクチュエータは、約１００の機械ゲイン（mechanical gain）を有する。支持パッド９８および支持パッド１００の上および下に形成された支柱が圧縮軸１０２に沿って１ミクロン移動すると、中心領域１０４または中心領域１０６が、垂直方向に約１００マイクロインチ移動することになる。
【００１７】
図には、鏡９２の左側および右側に、ハンドル層３２から形成された補強材９３ａ、９３ｂが示されている。補強材は柔軟な移動部材９０にマス（mass）を加えると共に、制御信号による指示を受けた移動部材が行う、ある状態から別の状態へのトグル運動の完了を助ける。柔軟な移動部材はその全長にわたって湾曲しようとするが、湾曲は補強材９３ａ、９３ｂが占める領域のところで抑制され、結果、必要な屈曲がそれ以外の領域全体に転移される。
【００１８】
ボッシュプロセス（Bosh Process）は、誘導結合プラズマイオンエッチング（ディープイオンエッチング、またはＲＩＥと呼ばれることもある）を含むものである。設備メーカーとしては、カリフォルニア州レッドウッドシティーにある、Surface Technology Systemsなどの会社がある。フォトマスクを介して連続的に行われるエッチングステップおよび不動態化ステップから成る手順において、プラズマを反応性ガスとの組み合わせで使用し、表面にわずかに波形のついた壁面を生成する。ボッシュ社は本プロセスをライセンスするものと信じられている。エッチング速度は、フローの速度と圧力とによって制御される。本プロセスは、当業者にとっては公知のものである。ボッシュプロセスで行われるエッチングは、ウエハーの結晶面（crystallographic planes）の影響を受けない。
【００１９】
本発明の鏡を作る際に用いられる技法は、異方性（anisotropic）エッチングプロセスである。異方性エッチングは、湿式化学エッチングプロセスであり、これは、いくつかあるエッチング材または腐食液のうちの１つとして、ＫＯＨまたは水酸化カリウムを使用するのが典型的な形である。エッチング速度は、結晶面の影響を受けるもの（function）であり、それが異方性であるというのは、エッチングの方向が異なればその速度も異なるという意味においてである。これは、Ｖ字形溝およびミラー構造の形成において用いられる。また、これは標準プロセスとなっており、契約で外部に出されることもある（アメリカ合衆国カリフォルニア州のミルピタスにあるIC Sensors社などの会社に）。なお、カリフォルニア州フリーモントのNova Sensors社も、このサービスの提供元になっていると信じられている。一般的な分野としてはマイクロ機械加工にあたり、アメリカ合衆国内ではＭＥＭＳ（Micro Electro-Mechanical Systems：マイクロ電気機械システム）と呼ばれる。
【００２０】
異方性エッチングプロセスを使用することで、柔軟な移動部材のハンドル層から鏡面９２を作ることが可能となる。本プロセスは、機械的４５度の並び（automatic 45 degree alignment）の鏡面に、光源および光ポートを直線上に並べる働きをするＶ字形溝を与える。本プロセスを用いることで、製造される鏡は充分に薄くなるので、単一モード光に関する耐性ビルド（tolerance build）に対応でき、さらに、交差するビームの通り道に配置された際には、２本のビームの同時反射にも対応できる。
【００２１】
ウエハー「Ａ」と「Ｂ」とは同一のものである。ＳＯＩ（silicon on insulator）ウエハーを供給するベンダーは、原料としての２枚の４インチウエハーまたは２枚の６インチウエハーから始める。ハンドル部は、厚さ３２５ミクロンが典型的である。二酸化ケイ素層の厚さは、約２分の１ミクロンある。デバイス層は、厚さ約１６ミクロンである。
図６（ｃ）は、圧縮軸１０２からずれて第２の状態にある柔軟な移動部材の中心部９４を示す（移動距離１０６については誇張して示している）。同図には基板「Ｂ」の一部が図示されており、柔軟な移動部材の中心部９４は低い位置へ移動してリセスに収まっている。当該リセスは、デバイス層４４、酸化物層４２を通過し、ハンドル層４０の途中にまで達する形で形成されている。リセスの大きさについては、干渉のない第１の状態に柔軟な移動部材が移動するのを許すと共に、柔軟な移動部材とウエハー「Ｂ」の壁との間に熱絶縁を実現するのに充分な大きさとする。
【００２２】
その圧縮軸１０２に沿って加えられる圧縮力を受けている間、柔軟な移動部材９０は、安定した状態で、第１の弓なり状態、または第２の弓なり状態を保つ。この圧縮力は、膨張可能構造体に含まれる要素（例えば、図３および図５（ａ）に示される熱膨張可能アーム１０８、１１０）から、それぞれ、ポスト１１２、１１４の所にある膨張可能構造体の第１および第２の支持点の位置で結合部を介して加えられる。
【００２３】
移動部材の鏡面９２は、柔軟な移動部材が第１の弓なり状態にある時は、光信号経路から離れた位置を保つ。
図３に示すとおり、第２の二酸化ケイ素層のデバイス層４４に形成された膨張可能構造体は、デバイス層４４の領域６４、６５にそれぞれ附属する膨張可能アーム１０８、１１０を介して、フレームに結合されている。領域６４、６５はそれぞれ、領域７０、７１において酸化物層４２に接合されている。そうして、領域７０がハンドル層の領域７４に接合されている一方、領域７１は、領域７５に接合されている。また、領域６４については、電気的接触層を介して、ウエハー「Ａ」のデバイス層３６における領域６０に接合されている。領域６０は酸化物層５８を介して、ウエハー「Ａ」のハンドルにおける領域５６に接合されている。
【００２４】
図３で示すように、膨張可能構造体の膨張可能アーム１０８、１０９、１１０、１１１は第１および第２の端部を有し、それらは、それぞれデバイス層４４上にある膨張可能構造体の第１および第２の端部パッド１１２、１１４が終端となっている。図において、層４４の第１および第２の端部パッド１１２、１１４は、酸化物層４２のパッド１１８、１２０を介して、ハンドル層４０のパッド１２２、１２４に、一体化または接合されている。これらのパッド領域は、ＳＯＩ構造によって一体化されることで、それぞれ、膨張可能構造体の第１および第２のポスト１１３、１１５を形成している。
【００２５】
ここで図２（ａ）を参照する。膨張可能構造体の第１および第２のポストは、第１および第２の末端パッド１１２、１１４、電気的接触層の金属を介して、柔軟な移動部材のデバイス層３６の上のパッド９８、１００の位置で、柔軟な移動部材の第１および第２の支持点に結合されている。パッド９８、１００は、酸化物層３４の対応する形のパッドを介して、第１および第２の柔軟な移動部材ポストが形成されているハンドル層３２上にある形の対応するパッドに対し、ＳＯＩウエハーの特性によって一体化されている。つまり、第１および第２の柔軟部材ポストは膨張可能構造体の第１および第２のポストと一体化されているのである。次いで、図３および図５（ａ）乃至図５（ｃ）を参照する。ウエハー「Ｂ」には、８つの横梁またはウェブ（格子状の構造）１２８、１２９、１３０、１３２、１３３、１３４、１３５、１３６がＭＥＭＳ技法のプロセスによって形成されており、膨張可能構造体の第１および第２のポストをハンドル層４０に結合している。また、図２および図４（ａ）乃至図４（ｃ）を参照すると、８つの横梁またはウェブ１４０、１４１、１４２、１４３、１４４、１４５、１４６、１４７が、ＭＥＭＳ技法のプロセスによってウエハー「Ａ」に形成され、第１および第２の柔軟な移動部材ポスト９９、１０１を、それぞれ、第１および第２の支持点パッド９８、１００において、ハンドル層３２に結合している。ウエハー「Ａ」および「Ｂ」が、個々のデバイス層の外表面に形成された電気的接触層によって一体に接合されると、膨張可能構造体のポストと柔軟な移動部材のポストとは一体に結合されて、柔軟な移動部材の各端部に２つのポストを別々に形成し、４つのウェブまたは横支持要素がポストからフレームまで延びた形となっている。
【００２６】
組立作業においては、ウエハー「Ａ」をウエハー「Ｂ」に接合する前の段階で、工作器具を用いて膨張可能構造体を事前に偏らせておく。そうすることで、膨張可能構造体は、圧縮軸１０２に沿って、第１の支持点と第２の支持点との間に圧縮力を加えるのことととなり、その結果、柔軟な移動部材９０は、第１の弓なり状態または第２の弓なり状態に圧縮状態で保持されることになる。
【００２７】
次いで図３を参照する。第１の実施例の動作においては、制御信号（例えば、充分な高電力（power handling capability）を有する駆動装置からの、バッファされた５Vの論理信号（すなわち、０〜５Ｖの論理信号））がヒーターを駆動する。当該ヒーターは膨張可能構造体要素（要素１０９と一続きの要素１０８、そして要素１１１と一続きの要素１１０など）で成り、膨張可能構造体を膨張させる。別の実施の形態では、同じ論理信号が同時に領域６４および６５に加えられる。また、この構成では、ポスト１１２および１１４はアースされている。
【００２８】
第１の実施の形態では、論理信号は、０ボルトまたは非常に低い値である第１の状態と、５Ｖなどの高い値である第２の状態とを有し、領域６４または領域６５に加えられる。なお、その時、領域６４および領域６５のうち信号が加えられていない方の領域はアースされている。論理信号は、膨張可能構造体の膨張可能アーム１０８、１０９、１１０、１１１に電流を通してアームを加熱することで、それらアームを膨張および伸長させ、それによって、柔軟な移動部材の第１および第２の支持点パッド９８、１００に加わる圧縮力を小さくするか、あるいはゼロにする。
【００２９】
第２の状態を示す制御信号に応じる形で膨張可能構造体が膨張し、これに伴って、柔軟な移動部材に加わる圧縮力が低下すると、柔軟な移動部材の中心部は移動可能となり、当該中心部は、第１の弓なり状態から圧縮軸を通過して第２の弓なり状態へ、あるいは、その後に続く、膨張可能構造体による圧縮力の回復に伴い、第２の弓なり状態から圧縮軸を通過して第１の弓なり状態へと移動する。
【００３０】
第１の実施の形態では、移動部材の中心領域９４が移動することで、ミラー面９２も、コリメート光信号源またはピグテイル２１，１４，２６と光学ポート２８、１６、３０との間の位置に移動し、その結果、ギャップ２６において、光信号経路を完全にブロックするか、または完全に反射する（鏡が間に入った場合）。その時、柔軟な移動部材は圧縮されて、第２の弓なり状態となっている。こうして、本双安定マイクロアクチュエータは、ギャップ２６を横切る光信号の流れを中断または反射することで、光スイッチとしての機能を実現するように働く。
【００３１】
動作時、制御信号の立ち上がりエッジは鋭く、これに対応する膨張可能構造体の膨張可能アームの加熱も非常に短い時間のうちに実現し、その結果、柔軟な移動部材に加わる圧縮力も鋭く瞬間的に低下する。制御信号による加熱の速度は、制御信号の前縁の傾斜や振幅の調節によって調節され、柔軟な移動部材の中心部を圧縮状態の軽減に応じて圧縮軸方向に向けて加速させるのに充分な程度に急激なものとすることができる。柔軟な移動部材の中心部の加速およびマスは、柔軟な移動部材の中心部を、圧縮軸をはさんで、それまでの状態からもう一方の（トグル運動後の）弓なり状態（第１または第２の弓なり状態）にまで移動させるのことができる程度の大きさである。ここで、移動後の状態がどちらになるかは、移動開始前の状態による。また移動は、制御信号の除去に応じて膨張可能構造体からの圧縮力が回復するのに伴って生じる。
【００３２】
図３と図５（ａ）乃至図５（ｃ）に示す実施の形態では、要素１０８、１０９、１１０、１１１として４つの膨張可能構造体加熱要素が形成されており、第２状態の制御信号下にあって必要とされる加熱を実現するには、これら要素における半導体材料の抵抗率を調節すればよい。なお、明記しておくべきこととして、特定の設計目標を満たすために、異なるパターン（弧を描く形状や楕円形状のセグメントを有する加熱要素など）を考案する場合もありうる。
【００３３】
図６（ａ）乃至図６（ｃ）は、ウエハー「Ａ」のデバイス層３６にドープ処理された２つのインディフューズ（indiffused）領域１４０、１４２を示す。これらは、第１の電気信号（柔軟な移動部材が第１の弓なり状態にあるタイミングを示すように特徴づけられたもの）、および第２の電気信号（柔軟な移動部材が第２の弓なり状態にあるタイミングを示すように特徴付けられたもの）を提供する手段となっている。別の実施の形態の最初のものにおいては、当該２つの領域は、柔軟な移動部材のデバイス層３６上にあるインディフューズ圧電抵抗サイトで成る。２つの領域は電気的接触層に電気的に結合されており、それによって、これら領域を信号定義回路と共に用い、柔軟な移動部材をどの方向に曲がっているかを判定する、という使用法が可能となる。バイアスがかかると、インディフューズ領域は、柔軟な移動部材が第１の弓なり状態（すなわち、第１の光信号が狭いギャップ２７を通過して、干渉なしに、ファイバ１６の左端にある第２のコリメートレンズ２９に達する、という状態）にあることを示す第１の出力信号を発生させる。また、第２の電気信号は、柔軟な移動部材が第２の弓なり状態にある時に、これを示すために発生させられる。
【００３４】
図６（ａ）乃至図６（ｃ）は図２（ａ）に図示した内容の概略断面図であり、柔軟な移動部材９０の縦軸を通る断面を示す図である。図３からも対応する層を図示してある。別の実施の形態では、圧電抵抗センサーを、図示したのとは別の位置として、柔軟な移動部材の上にまたは内部に配置することも可能であろう。
図６（ｂ）および図６（ｃ）に示すインディフューズ領域１４０、１４２を見ると分かるように、各圧電性抵抗要素は、図６（ｃ）に示す第１の状態（鏡９２が光ビームの経路より下にある状態）では張力を受けるが、その後、柔軟な移動部材が図６（ｃ）に示す第１の安定状態から図６（ｂ）に示す第２の安定状態に移動するにつれ、圧縮力を受けるようになる。圧電抵抗デバイスの抵抗は、柔軟な移動部材の状態に応じて変わるであろう。圧電抵抗デバイスの端部への電気的接続は、図４（ａ）に示す横梁１４０〜１４３と１４４〜１４７に沿って、図５に示す半円形端部接続パッド（図示せず）まで信号線を引き出すことによって実現されるであろう。ここで再び図２を参照する。ここでは、圧電抵抗デバイスがウエハーＡに見られるが、接触部は、図７に示される層内のパッド１６０、１６２のような金（gold）パッドを介して、ウエハー「Ｂ」における半円筒形の端部接続に接続されている。ここから、各信号線はパッケージの端部にあるアパーチャにつながれ、さらには、浮動リードを介してカードまたは保護パッケージピンに接続される。上でも述べた通り、図７に示したような金属加工領域は、あくまで例示目的である。実際にどのようなパターンが必要になるかは、必要とされる電気的接続を実現する目的でなされるデザイン選択の結果で決まるものであり、その電気的接続とは、ヒーター要素からパッケージ上の端部接続部まで、そして、柔軟な伝達要素が置かれている状態（すなわち、光ビームが制限なしにその経路を通ってポートに達するような第１の状態、または、光ビームがブロックされるか別のポートへ反射されるという第２の状態）を特定する目的で設けられた圧電抵抗ディフュージョンからのものである。
【００３５】
図８は、図３および図５（ａ）の展開図における切断線８−８に沿っての、ウエハー「Ｂ」の概略断面図であり、ハンドル層から金属電気接続層までの、半円形端部接続パッド１８０〜１８６を示す。図８は、電気的接触層から保護パッケージまたはカードにおけるポストまで、電気接触がどのように確立されているかを示す。
以上、本発明は、いくつかの実施の形態に関連付けて説明してきたが、本特許の範囲は、添付の特許請求の範囲によってのみ確定されるものである。
【図面の簡単な説明】
【００３６】
【図１】（ａ）光信号源と光ポートと共に動作して光スイッチとして機能する、本発明による双安定マイクロアクチュエータの展開図であって、階層を上側の視点から見た図である。
（ｂ）光信号源と光ポートと共に動作して光スイッチとして機能する、本発明による双安定マイクロアクチュエータの展開図であって、階層を下側の視点から見た図である。
【図２】（ａ）本発明によるウエハー「Ａ」を構成する層を拡大して示す展開斜視図である。
【００３７】
（ｂ）図２（ａ）のうち、柔軟な移動部材の中央部分を示す中心部を拡大して示す斜視図であって、その中央部分の頂上にあるミラーが左下からの第１のビームと右下からの第２のビームとを偏向させる状態を示す図である。
【図３】ウエハー「Ｂ」を構成する層を拡大して示す展開斜視図である。
【図４】ウエハー「Ａ」を構成する層を示す平面図である。
【図５】ウエハー「Ｂ」を構成する層を示す平面図である。
【図６】本発明による双安定マイクロアクチュエータの概略断面図であって、柔軟な移動部材が（ａ）力が加わっていない状態、（ｂ）第１の状態、（ｃ）第２の状態、にある場合について示した図である。
【図７】ウエハー「Ａ」のデバイス層の底面、および、ウエハー「Ｂ」のデバイス層の頂上に形成された電気的接触層を示す平面図である。
【図８】図３および図５の展開図に示した断面線８−８における、ウエハー「Ｂ」の概略断面を示す図である。
【図１】
2004530150.tif 000003
【図２】
2004530150.tif 000004
【図３】
2004530150.tif 000005
【図４】
2004530150.tif 000006
【図５】
2004530150.tif 000007
【図６】
2004530150.tif 000008
【図７】
2004530150.tif 000009
【図８】
2004530150.tif 000010
【国際公開パンフレット】
2004530150.tif 000011
2004530150.tif 000012
2004530150.tif 000013
2004530150.tif 000014
2004530150.tif 000015
2004530150.tif 000016
2004530150.tif 000017
2004530150.tif 000018
2004530150.tif 000019
2004530150.tif 000020
2004530150.tif 000021
2004530150.tif 000022
2004530150.tif 000023
2004530150.tif 000024
2004530150.tif 000025
2004530150.tif 000026
2004530150.tif 000027
2004530150.tif 000028
2004530150.tif 000029
2004530150.tif 000030
2004530150.tif 000031
2004530150.tif 000032
2004530150.tif 000033
2004530150.tif 000034
2004530150.tif 000035
2004530150.tif 000036
2004530150.tif 000037
2004530150.tif 000038
2004530150.tif 000039
2004530150.tif 000040
2004530150.tif 000041
2004530150.tif 000042
2004530150.tif 000043
2004530150.tif 000044
2004530150.tif 000045
【国際公開パンフレット（コレクトバージョン）】
2004530150.tif 000046
2004530150.tif 000047
【国際調査報告】
2004530150.tif 000048
2004530150.tif 000049
2004530150.tif 000050